(57)【要約】【課題】洗濯機を設置可能とすると共に、法律にも適合した安全な調理器を備えた流し台装置を提供することを目的とする。【解決手段】シンク２および加熱調理台３を備え、当該加熱調理台下に洗濯機４を収納可能とし、シンク２上面から側方に延びる天材５の下方に洗濯機載置空間６を確保し、前記天材５の洗濯機４上部に対応する位置に開口７を設け、前記天材５の前記開口７を塞ぐ位置に、加熱調理台３をシンク２側へ水平移動可能に設け、当該加熱調理台３をシンク２側へ移動させることにより開放する前記開口７を通じて、洗濯機４上部の蓋を開けて被洗濯物の出し入れを可能とする。【選択図】図１
2009261910.tif 000002
【特許請求の範囲】
【請求項１】
シンクおよび加熱調理台を備え、当該加熱調理台下に洗濯機を収納可能とした流し台装置であって、
シンク上面から側方に延びる天材の下方に洗濯機載置空間を確保し、
前記天材の洗濯機上部に対応する位置に開口を設け、
前記天材の前記開口を塞ぐ位置に、加熱調理台をシンク側へ水平移動可能に設け、
当該加熱調理台をシンク側へ移動させることにより開放する前記開口を通じて、洗濯機上部の蓋を開けて被洗濯物の出し入れを可能としたことを特徴とする流し台装置。
【請求項２】
前記加熱調理台を、前記天材の開口を塞ぐ位置と前記シンク上面の開口を塞ぐ位置との間を水平移動可能に案内するスライド案内手段を設けた請求項１記載の流し台装置。
【請求項３】
前記スライド案内手段が、前記シンク上面から前記天材の開口にわたる前端側及び後端側に、それぞれ前記加熱調理台の前端部及び後端部を左右に水平移動可能に案内する段差部を設けてなる請求項２記載の流し台装置。
【請求項４】
前記加熱調理台の前端部および後端部に、それぞれ前記段差部に摺動する合成樹脂製の滑動板を取り付けてなる請求項３記載の流し台装置。
【請求項５】
前記段差部に、前記加熱調理台の前端部及び後端部の浮き上がりを防止する係止部を設けてなる請求項３又は４記載の流し台装置。
【請求項６】
前記加熱調理台に、加熱調理器の移動を規制するための可動式ストッパーを設けてなる請求項１〜５のいずれかに記載の流し台装置。
【請求項７】
前記加熱調理台に、前後方向に可動するＬ字状の前記可動式ストッパーと左右方向に可動するＬ字状の前記可動式ストッパーとを対角させて設けるとともに、第３点にＬ字状の固定式ストッパーを設けてなる請求項６記載の流し台装置。
【請求項８】
水切り面部と前記水切り面部より上方に位置し該水切り面部の周縁を構成する周縁部とを有し、前記周縁部が前記シンク上面に載置されるとともに、前記水切り面部が該シンク上面よりも下側のシンク内に位置する水切りプレートを着脱自在に設けてなる請求項１〜７のいずれかに記載の流し台装置。
【請求項９】
壁面に設けられた被取付部材に、流し台装置本体の後面に設けられた取付部材を嵌合させて取り付けてなる請求項１〜８のいずれかに記載の流し台装置。
【発明の詳細な説明】
【技術分野】
【０００１】
本発明は、キッチンに設置される流し台装置に係わり、より詳しくは加熱調理器と洗濯機とを設置可能とする流し台装置に関する。
【背景技術】
【０００２】
従来、シンクの側方に加熱調理器を設け、加熱調理や食器の洗浄作業が可能な流し台装置がある。この流し台装置は、左右方向の幅が９０〜１００ｃｍ程度に構成され、ワンルームマンション等に設置されている。
【０００３】
近年、マンションの選定条件の１つとして、洗濯機が自身の部屋に設置可能であるが否かも重要視される傾向にあり、個人使用の洗濯機が設置可能な物件に人気が集まっている。一方、マンションのオーナーにとっても、人気物件となるように各部屋に洗濯機を設置することが望まれていた。
しかしながら、新しく新築するマンション等であれば、洗濯機の設置スペースや給水及び排水設備を設けることができるが、既設のマンションにおいては各部屋に洗濯機を設置可能にするためには大がかりなリフォームが必要となるだけでなく、洗濯機を設置するスペースを確保することも非常に困難であった。
【０００４】
そこで、小型の冷蔵庫と、この冷蔵庫の上に設置されたシンクと、冷蔵庫の横に接近配置した洗濯機と、当該洗濯機の上部に上下方向に移動可能な調理器を備えた洗濯機組み込み型小型厨房装置が考えられ、コンロ等の調理器を使用するときには当該調理器を洗濯機の上部に接する位置にまで下げ、洗濯機を使用するときには当該調理器を上方移動させて使用していた（特許文献１参照。）。
【０００５】
【特許文献１】実開平４−４１０４７号公報
【発明の開示】
【発明が解決しようとする課題】
【０００６】
しかしながら、洗濯機を設置するためには、単に洗濯機の載置スペースを確保するだけでは不十分であり、洗濯機への給水、及び洗濯機からの排水を可能としなければならなかった。したがって、既設のマンションにおいては各部屋に洗濯機を設置可能にするためには大がかりなリフォームが必要となるだけでなく、洗濯機を設置するスペースを確保することも非常に困難であった。
【０００７】
また、上記特許文献１記載の小型厨房装置では、コンロ等の調理器の下に洗濯機を載置することにより洗濯機の設置スペースを確保することは可能となったが、コンロ等の調理器を使用するときには当該調理器を洗濯機の上部に接する位置にまで下げ、洗濯機を使用するときには当該調理器を上方移動させる構造となっており、熱源となる調理器を天井に接近させることにより、火災が発生する危険性が高く、法律で許可されていなかった。
仮に、法律での規制がなくなったとしても、沸騰した湯が入ったやかんをコンロに乗せた状態でコンロを上方に移動させた場合などは、やかんが落下するおそれがあり、火傷をする可能性が高かった。さらに、上方に位置しているときには、熱湯を頭から被る危険性もあった。
【０００８】
本発明は、係る問題に鑑み、洗濯機を設置可能とすると共に、法律にも適合した安全な調理器を備えた流し台装置を提供することを目的とする。
【課題を解決するための手段】
【０００９】
本発明は、前述の課題解決のために、シンクおよび加熱調理台を備え、当該加熱調理台下に洗濯機を収納可能とした流し台装置であって、シンク上面から側方に延びる天材の下方に洗濯機載置空間を確保し、前記天材の洗濯機上部に対応する位置に開口を設け、前記天材の前記開口を塞ぐ位置に、加熱調理台をシンク側へ水平移動可能に設け、当該加熱調理台をシンク側へ移動させることにより開放する前記開口を通じて、洗濯機上部の蓋を開けて被洗濯物の出し入れを可能としたことを特徴とする流し台装置を構成した。
したがって、加熱調理台の下方に洗濯機を設置可能できる。また、加熱調理台を洗濯機の上方位置に移動させることによりシンクが使用可能になり、加熱調理台をシンクの上面に移動させることで洗濯機が使用可能となる。
【００１０】
ここで、前記加熱調理台を、前記天材の開口を塞ぐ位置と前記シンク上面の開口を塞ぐ位置との間を水平移動可能に案内するスライド案内手段が設けられる。
【００１１】
スライド案内手段としては、前記シンク上面から前記天材の開口にわたる前端側及び後端側に、それぞれ前記加熱調理台の前端部及び後端部を左右に水平移動可能に案内する段差部を設けたものが好ましい。
【００１２】
特に、加熱調理台の前端部および後端部に、それぞれ前記段差部に摺接する合成樹脂製の滑動板を取り付けたものが好ましい。
【００１３】
更に、前記段差部には、前記加熱調理台の前端部及び後端部の浮き上がりを防止する係止部を設けたものが好ましい。
【００１４】
また、前記加熱調理台に、加熱調理器の移動を規制するための可動式ストッパーを設けたものが好ましい。
【００１５】
特に、前記加熱調理台に、前後方向に可動するＬ字状の前記可動式ストッパーと左右方向に可動するＬ字状の前記可動式ストッパーとを対角させて設けるとともに、第３点にＬ字状の固定式ストッパーを設けることが好ましい。
【００１６】
更に、水切り面部と前記水切り面部より上方に位置し該水切り面部の周縁を構成する周縁部とを有し、前記周縁部が前記シンク上面に載置されるとともに、前記水切り面部が該シンク上面よりも下側のシンク内に位置する水切りプレートを着脱自在に設けてもよい。
【００１７】
また、壁面に設けられた被取り付け部材に、流し台装置本体の後面に設けられた取り付け部材を嵌合させて取り付けてもよい。
【発明の効果】
【００１８】
以上にしてなる本願発明に係る流し台装置は、加熱調理台の下に洗濯機を収納する空間を備えているので、当該空間に洗濯機を載置でき、新たに洗濯機を載置するスペースが無いマンションでも設置可能であり、今まで洗濯機の設置不可能な部屋にも洗濯機を設置できる。また、洗濯機への給水設備及び排水設備は、シンクで使用される給水設備及び排水設備を併用することができ、大がかりなリフォームをする必要性が無く低コストで導入することができる。
また、加熱調理台をシンク側と天材間を水平移動するので、法律に適合した装置とすることができるだけでなく、火災の発生を防止できる。また、一般的な加熱調理台の高さに加熱調理器を設置できるので、操作容易性及び安全性を確保することができる。
【００１９】
また、加熱調理台を、前記天材の開口を塞ぐ位置と前記シンク上面の開口を塞ぐ位置との間を水平移動可能に案内するスライド案内手段を設けたので、シンクと天材との間の加熱調理台の移動を容易に行うことができる。
【００２０】
また、スライド案内手段が、前記シンク上面から前記天材の開口にわたる前端側及び後端側に、それぞれ前記加熱調理台の前端部及び後端部を左右に水平移動可能に案内する段差部を設けたので、当該段差部によって加熱調理台の前後方向への移動を抑止できる。
【００２１】
また、加熱調理台の前端部および後端部に、それぞれ前記段差部に摺接する合成樹脂製の滑動板を取り付けたので、滑らかに移動可能となり安全に加熱調理台を左右方向に移動できる。
【００２２】
また、段差部に、前記加熱調理台の前端部及び後端部の浮き上がりを防止する係止部を設けたので、天材側に加熱調理台を設置し、調理しているときに誤って加熱調理台にぶつかったとしても、流し台装置からの離脱を防止でき、火傷や火災等の災害を防止することができる。
【００２３】
また、加熱調理台に加熱調理器の移動を規制するための可動式ストッパーを設け、加熱調理器の大きさに合わせて可動式ストッパーを加熱調理台に固定できる。したがって、多種多様な大きさの加熱調理器を安全性を確保して載置させることができる。つまり、故障などにより新しい加熱調理器に交換する場合、加熱調理器の大きさが変わっても載置する加熱調理器に合わせてストッパーの位置を変更できる。
【００２４】
さらに、２つのＬ字状の可動式ストッパーを対角させて設けるとともに、第３点にＬ字状の固定式ストッパーを加熱調理台に設けているので、確実に加熱調理器の移動を規制できる。
【００２５】
また、水切り面部と前記水切り面部より上方に位置し該水切り面部の周縁を構成する周縁部とを有し、前記周縁部が前記シンク上面に載置されるとともに、前記水切り面部が該シンク上面よりも下側のシンク内に位置する水切りプレートを着脱自在に設けているので、水切りプレートにまな板や包丁等を載置したままで、加熱調理台をシンク側に移動することができ、作業性能を高めることができる。
【００２６】
また、壁面に設けられた被取付部材に、流し台装置本体の後面に設けられた取付部材を嵌合させて流し台装置を壁面に固定させているので、流し台装置本体を交換する場合には、新たな流し台装置の取付部材を被取付部材に嵌合させることにより壁面に固定でき、流し台装置の交換作業を容易に行うことができる。
【発明を実施するための最良の形態】
【００２７】
次に、本発明の実施形態を添付図面に基づき詳細に説明する。
【００２８】
図１は本発明に係る流し台装置の全体構成を示す斜視図、図２は加熱調理台をシンク側へ移動したときの流し台装置の全体構成を示す斜視図であり、図１〜８は代表的実施形態を示し、図中符号１は流し台装置、２はシンク、３は加熱調理台、４は洗濯機をそれぞれ示している。
【００２９】
本発明に係る流し台装置１は、図１および図２に示すように、略矩形状の上面側にシンク２及び加熱調理台３を備え、当該加熱調理台３の下に洗濯機４を収納可能としたものであり、シンク上面２ａから側方に延びる天材５の下方に洗濯機載置空間６を確保し、天材５の洗濯機上部の蓋部４ａに対応する位置に開口７を設け、天材５の前記開口７を上方から塞ぐ位置に、加熱調理台３をシンク２側へ水平移動可能に設けたものである。そして、図２に示すように加熱調理台３をシンク側へ移動させることにより前記開口７が開放され、当該開口７を通じて洗濯機上部の蓋部４ａを開けて被洗濯物の出し入れが可能となる。
【００３０】
流し台装置１は、図１に示すように、部屋のコーナー部に設置され、左側面と後側面に備えられた図示しない取付具によって壁面に固定されている。
流し台装置１は、ボルト等で壁面に直接固定してもよいが、壁面にブラケットを設け、流し台装置１に設けた取付部材を該ブラケットに嵌合することにより壁面に固定してもよい。特に、流し台装置１本体を新たな流し台装置１に交換する場合には、壁面に設けられたブラケットに新たな流し台装置１の取付部材を嵌合させることにより壁面に固定できるので、流し台装置１の交換作業が容易となる。
さらに、図１２に示すように、流し台装置１と壁面とにステー２４を設けて、流し台装置１と壁面との固定強度を高めてもよい。
なお、上述した形態以外に、流し台装置１に脚部を設けて床面に設置するように構成してもよい。
【００３１】
流し台装置１を、ワンルームマンション等において省スペースな流し台として設置するときには、例えば左右方向の幅９０〜１００ｃｍ、前後方向の奥行は５５〜６０ｃｍ程度の大きさであるが、このサイズに限定されるものではなく、大型の流し台装置１であってもよい。
また、流し台装置１の後方側壁には、シンク２に給水する給水栓８が設けられているが、シンク上面２ａに給水栓８を設けても勿論よい。
【００３２】
流し台装置１には左側に略矩形状のシンク２が１つ設けられ、シンク底面２ｂには排水口９が設けられ、排水口９からの排水は排水トラップ１０を通り排水管１１に流される。
シンク２は、ステンレス材から構成されているが、合成樹脂やホーロー等の他の材質であってもよい。また、２つ以上のシンク２を備えてもよい。
【００３３】
前記加熱調理台３は、本例ではＩＨ（Induction Heating）調理器、電熱調理器、ガスコンロ等の加熱調理器１２を載置する載置台であるが、加熱調理器１２を内蔵し、一体化させたものでもよい。
また、加熱調理台３の前端部には取手部１３が設けられ、当該取手部１３を把持し左右方向への移動操作を行うことにより、当該加熱調理器１２をシンク上面２ａと前記開口７の間を水平移動可能としている。
【００３４】
さらに、加熱調理台３に加熱調理器１２を載置する場合には、図１１に示すように、加熱調理器１２の移動を規制するためのストッパー２０を設けることが好ましい。左右方向に可動するＬ字状のストッパー２０ａと、上下方向に可動するＬ字状のストッパー２０ｂと、固定式Ｌ字状のストッパー２０ｃとの３つのストッパー２０が、加熱調理台３に設けられ、加熱調理器１２の下部側面に接当する。前記Ｌ字状のストッパー２０ａとＬ字状のストッパー２０ｂとは、加熱調理器１２の対角に位置し、固定式Ｌ字状のストッパー２０ｃは、第３点に位置する。
加熱調理器１２を加熱調理台３に載置するときには、加熱調理器１２の形状に合わせて可動式ストッパー２０ａ，２０ｂの位置をそれぞれ加熱調理台３に固定する。そして、故障などにより新たな加熱調理器１２を加熱調理台３に載置するときにも同様に可動式ストッパー２０ａ，２０ｂの位置をそれぞれ固定する加熱調理台３に合わせて固定することにより、加熱調理器１２の大きさが異なっていても加熱調理器１２の移動を規制できる。
【００３５】
前記天材５は、シンク２の上面２ａから右側方に延びた略枠形状を呈しており、後方にほぼ矩形状の天板５ａを備えるとともに、洗濯機４の上部の蓋部４ａに対応した位置に開口７が設けられ、当該開口７を通して蓋部４ａを開閉可能としている。
また、天材５の右側端には、下方に所定の長さで延びた側板５ｂが備えられ、天材５への荷重に対する強度補強をすると共に、洗濯機４の側方への転倒を防止している。
天材５は、シンク２と同様にステンレス材から構成されているが、合成樹脂やホーロー等の他の材質であってもよいし、シンク２と異なった材質であってもよい。
なお、図９に示すように、前記天板５ａを省略した完全な枠体で構成し、開口７をより広く形成してもよい。
【００３６】
また、シンク２の上面２ａと天材５の上面には、前記加熱調理台３を左右方向に水平移動可能に案内するスライド案内手段１４が設けられ、このスライド案内手段１４に沿って、前記加熱調理台３が左右方向に滑動可能に構成されている。具体的には、シンク２の上面２ａと天材５の上面の前端部と後端部に、それぞれ前記加熱調理台３の前端部及び後端部が前後方向への移動を抑止した状態で載置され、かつ該加熱調理台３を左右方向に移動可能に支持する段差部１５ａ，１５ｂが平行に設けられている。
【００３７】
前記段差部１５ａ，１５ｂにより支持される加熱調理台３の前端部および後端部の下面には、それぞれ合成樹脂製の滑動板１６，１６が設けられている。滑動板１６は前記段差部１５ａ（１５ｂ）に摺接し、段差部よりなる各スライド案内手段１４の上面を滑動する。
なお、前記滑動板１６の代わりに、加熱調理台３の下面にローラーを備えさせ、当該ローラーによって流し台装置１上を左右方向に水平移動可能にしてもよい。また、前記スライド案内手段１４としてレールを備え、当該レール上を移動する車輪を加熱調理台３の前端部および下端部の下面に備えてもよい。
【００３８】
また、前記段差部１５ａ，１５ｂの天材５側には、前記加熱調理台３の前端部及び後端部の浮き上がりを防止する係止部１７が設けられている。
前端側の係止部１７ａは、Ｌ字状の金具を天材５の前端部にビス１８で固定されている。また、後端側の係止部１７ｂは、平面の金具を天材５の後端部にビス１８で固定されている。前記加熱調理台３を上方に移動させたときに、係止部１７ａ，１７ｂの一端側は前記滑動板１６ａ，１６ｂにそれぞれ接当し、浮き上がりを防止している。したがって、天材５側に加熱調理台３を設置し、調理しているときに誤って前記取手部１３にぶつかったとしても、加熱調理台３が浮き上がって流し台装置１からの離脱を防止でき、火傷や火災等の災害を防止することができる。
また、シンク２側の前端部及び後端部に係止部１７を設けないことにより図８に示すように、加熱調理台３の係止状態を解除でき、加熱調理台３をシンク２から取り外すことができ、シンク２と天材５と加熱調理台３の清掃を容易に行うことができ、清潔な流し台を維持できる。
【００３９】
また、図９に示すように、シンク２と天材５の間に凸部材１９を備えてもよい。図１に示すように加熱調理台３を洗濯機４の上方に配置させた状態で、シンク２で洗浄作業をした場合、水がシンク２を伝って前記天板５ａに侵入し、前記開口７から洗濯機４の上部や床に水が落下することもあるが、この凸部材１９を設けることにより、天板５ａへの水の侵入を防止できる。
また、この凸部材１９で前記開口７を囲むようにしてもよい。
【００４０】
また、加熱調理台３がシンク２側に移動したときに給水栓８への給水を強制的に中止する止水手段を給水管に設けてもよい。これにより、加熱調理台３に水が直接が落下することを防止することができ、加熱調理器１２の故障を防止できるだけでなく、加熱調理台３に落下した水が床に落下することも防止できる。
【００４１】
さらに、前記シンク２に給水する給水栓８の給水部８ａを、シンク２の外方側（後方壁側）に強制的に揺動する強制揺動手段を設けることも好ましい。これにより、加熱調理台３に水が直接が落下することを防止することができ、加熱調理器１２の故障を防止できるだけでなく、加熱調理台３に落下した水が床に落下することも防止できる。
【００４２】
また、加熱調理台３がシンク２上に移動したときに、前記加熱調理台３における加熱処理を強制的に停止する加熱停止手段を設けることも好ましい。
この加熱停止手段の一例としては、加熱調理台３に電磁スイッチを備えさせ、加熱調理台３が右端に位置したとき、つまり加熱調理台３が洗濯機４の上方に位置したときに、加熱調理器１２に電力供給し、右端から移動したときには、電力供給を停止させる。これにより、加熱調理台３による火傷を安全性を高めることもできる。
【００４３】
また、図１０に示すように、洗濯機４側の開口７の前端側を構成するバー２７を上下方向に回動可能に設けてもよい。通常は図３に示すように、バー２７を水平姿勢を維持するように固定手段によって固定し、洗濯機４内への洗濯物の出し入れをする際に、前記バー２７を下方に回動させ、洗濯機４の前方が開放され、洗濯物の出し入れ作業が容易になるだけでなく、洗濯物と流し台装置１との接触を防ぐことができる。
【００４４】
さらに、図１１に示すように、シンク２内に水切りプレート２１を着脱自在に設けてもよい。この水切りプレート２１は、水切り孔を備えた板状又は網状の水切り面部２２と、前記水切り面部２２より上方に位置し該水切り面部２２の周縁を構成する周縁部２３とから構成されている。前記周縁部２２がシンク上面２ａに接当し、水切りプレート２１を収納している。また、この水切りプレート２１は、水切り面部２２がシンク上面２ａよりも下側位置し、水切りプレート２１をシンク２内に収納した状態で、加熱調理台３をシンク２側に移動できる。さらに、水切りプレート２１をシンク２内に収納したときの水切り面部２２の高さを低くすることにより、水切り面部２２にまな板や包丁等を載置した状態で、加熱調理台３をシンク側に移動できる。したがって、シンク２で調理作業中でもそれらを水切りプレート２１に載置したままで、加熱調理台３をシンク２側に移動させ、洗濯機４内への洗濯物の出し入れが可能となる。
【００４５】
また、図１３に示すように、ＬＥＤ（発光ダイオード）２６を備えた照明手段２５を開口７に設けてもよい。この照明手段２５は天板５の下面に回動可能に設けられ、通常は天板５の下部に収納され、使用時には図１３に示すように洗濯機４の上方に回動させて、洗濯機４内部を照明可能である。
なお、ＬＥＤ２６は、照明手段２５に備えるだけでなく、開口７の側面７ａに備えさせ、洗濯機４内部を照明可能にしてもよい。
【００４６】
以上、本発明の実施形態について説明したが、本発明はこうした実施例に何ら限定されるものではなく、本発明の要旨を逸脱しない範囲において種々なる形態で実施し得ることは勿論である。
【図面の簡単な説明】
【００４７】
【図１】本発明の実施形態に係る流し台装置の全体構成を示す斜視図である。
【図２】加熱調理台をシンク側へ移動したときの流し台装置の全体構成を示す斜視図である。
【図３】（ａ）は天材側に加熱調理台を位置させたときの流し台装置の斜視図であり、（ｂ）はシンク側に加熱調理台を位置させたときの流し台装置の斜視図である。
【図４】流し台装置の上面図である。
【図５】図４のＡ−Ａ断面図である。
【図６】図４のＢ−Ｂ断面図である。
【図７】（ａ）は図４のＢ−Ｂ断面図の取手部付近の拡大図であり、（ｂ）は図４のＡ−Ａ断面図の右上端付近の拡大図である。
【図８】加熱調理台を取り外したときの流し台装置の斜視図である。
【図９】流し台装置の別実施例である。
【図１０】洗濯機側のバーが回動可能な流し台装置の別実施例である。
【図１１】加熱調理台にストッパーと、シンクに水切りプレートとを設けた流し台装置の別実施例である。
【図１２】ステーで固定した流し台装置の別実施例である。
【図１３】照明手段を備えた流し台装置の別実施例である。
【符号の説明】
【００４８】
１    流し台装置
２    シンク
２ａ  シンク上面
２ｂ  シンク底面
３    加熱調理台
４    洗濯機
４ａ  蓋部
５    天材
５ａ  天板
５ｂ  側板
６    洗濯機載置空間
７    開口
７ａ  開口側面
８    給水栓
８ａ  給水部
９    排水口
１０    排水トラップ
１１    排水管
１２    加熱調理器
１３    取手部
１４    スライド案内手段
１５    段差部
１６    滑動板
１７    係止部
１８    ビス
１９    凸部材
２０    ストッパー
２１    水切りプレート
２２    水切り面部
２３    周縁部
２４    ステー
２５    照明手段
２６    ＬＥＤ
２７    バー
【図１】
2009261910.tif 000003
【図２】
2009261910.tif 000004
【図３】
2009261910.tif 000005
【図４】
2009261910.tif 000006
【図５】
2009261910.tif 000007
【図６】
2009261910.tif 000008
【図７】
2009261910.tif 000009
【図８】
2009261910.tif 000010
【図９】
2009261910.tif 000011
【図１０】
2009261910.tif 000012
【図１１】
2009261910.tif 000013
【図１２】
2009261910.tif 000014
【図１３】
2009261910.tif 000015